(57)【要約】【課題】光ケーブルを損傷することがなく、使い勝手の良好な光ケーブル用タグを提供する。【解決手段】  光ケーブル用タグは、必要な情報を表示するためのプレート１１が取り付けられたタグ部材としての結束バンド１と、結束バンド１および光ケーブル３の間に挟み込まれるクッション部材２と、により構成される。結束バンド１の基端には締結部１２が設けられ、結束バンド１の先端１ａを締結部１２の貫通孔１２ａに貫通させ矢印方向に引っ張ることで、結束バンド１を締め付けることができる。いったん締め付けると締結部１２での嵌合により結束バンド１が緩まなくなる。【選択図】図１
2008268775.tif 000002
【特許請求の範囲】
【請求項１】
光ケーブルに取り付けられる光ケーブル用タグにおいて、
光ケーブルの周囲に取り付けられ、当該光ケーブルに関する情報を表示するリング状のタグ部材と、
前記タグ部材よりも柔軟な材質により構成され、前記タグ部材と前記光ケーブルとの間に挟まれるクッション部材と、
を備えることを特徴とする光ケーブル用タグ。
【請求項２】
前記タグ部材は、前記光ケーブルの周囲を締め付け可能に構成されていることを特徴とする請求項１に記載の光ケーブル用タグ。
【請求項３】
前記クッション部材には、前記タグ部材が貫通する孔が形成されていることを特徴とする請求項１または２に記載の光ケーブル用タグ。
【請求項４】
前記クッション部材は折り畳まれた状態で使用されることを特徴とする請求項１〜３のいずれか１項に記載の光ケーブル用タグ。
【請求項５】
前記クッション部材は前記光ケーブルの外周に巻き回された状態で使用されることを特徴とする請求項１〜３のいずれか１項に記載の光ケーブル用タグ。
【請求項６】
前記クッション部材はエラストマーにより構成されていることを特徴とする請求項１〜５のいずれか１項に記載の光ケーブル用タグ。
【発明の詳細な説明】
【技術分野】
【０００１】
本発明は、光ケーブルに取り付けられ当該光ケーブルに関する情報を表示するための光ケーブル用タグに関する。
【背景技術】
【０００２】
光ケーブルを識別するために、光ケーブルの外周にタグが取り付けられる。タグは部品番号等の必要な情報を書き込む部分と、結束バンドとが一体形成された態様に構成され、結束バンドを締め付ける要領で、タグを光ケーブルに取り付けることができる。通常の結束バンドと同様、いったん締め付けると外れない構造となっている。
【特許文献１】特開平８−１７１０３４号公報
【発明の開示】
【発明が解決しようとする課題】
【０００３】
光ケーブルのコア材は脆弱であるため一般的に光ケーブルは慎重に取り扱う必要があり、タグを取り付ける際にタグをきつく締め付ける光ケーブルのコア材が損傷する可能性がある。しかし、タグを緩く締めればコア材が損傷するおそれはないものの、今度はタグがケーブルに沿って滑ってしまい、所定位置に固定できない。
【０００４】
本発明の目的は、光ケーブルを損傷することがなく、使い勝手の良好な光ケーブル用タグを提供することにある。
【課題を解決するための手段】
【０００５】
本発明の光ケーブル用タグは、光ケーブルに取り付けられる光ケーブル用タグにおいて、光ケーブルの周囲に取り付けられ、当該光ケーブルに関する情報を表示するリング状のタグ部材と、前記タグ部材よりも柔軟な材質により構成され、前記タグ部材と前記光ケーブルとの間に挟まれるクッション部材と、を備えることを特徴とする。
この光ケーブル用タグによれば、クッション部材がタグ部材と光ケーブルとの間に挟まれるので、光ケーブルの損傷が防止され、タグ部材をしっかりと取り付けることが可能となる。
【０００６】
前記タグ部材は、前記光ケーブルの周囲を締め付け可能に構成されていてもよい。
【０００７】
前記クッション部材には、前記タグ部材が貫通する孔が形成されていてもよい。
【０００８】
前記クッション部材は折り畳まれた状態で使用されてもよい。
【０００９】
前記クッション部材は前記光ケーブルの外周に巻き回された状態で使用されてもよい。
【００１０】
前記クッション部材はエラストマーにより構成されていてもよい。
【発明の効果】
【００１１】
本発明の光ケーブル用タグによれば、クッション部材がタグ部材と光ケーブルとの間に挟まれるので、光ケーブルの損傷が防止され、タグ部材をしっかりと取り付けることが可能となる。
【発明を実施するための最良の形態】
【００１２】
以下、図１および図２を参照して、本発明による光ケーブル用タグの実施形態について説明する。
【００１３】
図１（ａ）は、光ケーブル用タグの一実施例の構成を示す断面図、図１（ｂ）はその斜視図である。
【００１４】
図１（ａ）および図１（ｂ）に示すように、本実施例の光ケーブル用タグは、必要な情報を表示するためのプレート１１が設けられたタグ部材としての結束バンド１と、結束バンド１および光ケーブル３の間に挟み込まれるクッション部材２と、により構成されている。
【００１５】
結束バンド１の基端には締結部１２が設けられ、結束バンド１の先端１ａを締結部１２の貫通孔１２ａに貫通させ矢印方向に引っ張ることで、結束バンド１を締め付けることができる。いったん締め付けると締結部１２での嵌合により結束バンド１が緩まなくなる。
【００１６】
クッション部材２は、結束バンド１より柔軟で、かつある程度の弾性を有するエラストマーなどにより構成される。図１（ａ）および図１（ｂ）に示すように、クッション部材２は折り畳まれた状態で、結束バンド１および光ケーブル３の間に挟み込まれる。このように、クッション部材２を、光ケーブル３を覆うように挟み込むことで、結束バンド１を締め付けても光ケーブル３の損傷が防止される。このため、結束バンド１を所定の位置にしっかりと固定できる。また、クッション部材２が折り畳まれることで、クッション部材２の弾力性が効果的に利用され、結束バンド１の滑りを防止できる。
【００１７】
クッション材２には、結束バンド１を貫通させるための孔２１が形成されており、クッション部材２は孔２１を介して結束バンド１に固定される。このため、仮にクッション部材２が緩んだとしても、光ケーブル３からクッション部材２が脱落することが防止される。
【００１８】
クッション部材２として、熱収縮チューブを利用することもできる。図２（ａ）は、熱収縮チューブを加工してクッション部材２を作成する例を示している。この例では、熱収縮チューブの一端側（例えば、端から１ｃｍ程度の位置）に切れ目を入れることで孔２１を形成している。熱収縮チューブが千切れるのを防ぐため、切れ目の長さはチューブ幅の１／３程度にする。なお、熱収縮チューブには熱を加えず、収縮させない状態で使用する。
【００１９】
図２（ｂ）〜図２（ｄ）は、本発明による光ケーブル用タグの他の実施例を示している。この例では、図２（ａ）に示した加工により、熱収縮チューブをクッション部材２として用いている。図２（ｂ）に示すように、クッション部材２の孔２１に結束バンド１を先端から差し込み、図２（ｃ）に示すように、孔２１と反対側の端部からクッション部材２をケーブル３，３に巻き付ける。図２（ｄ）に示すように、最後に結束バンド１を締結部１２に差し込んで締め付けることで、結束バンド１がケーブル３，３に固定されるとともに、ケーブル３，３が結束される。
【００２０】
この実施例においても、クッション部材２がケーブル３，３に多層に巻き回された状態で、結束バンド１とケーブル３，３との間に挟み込まれるため、その弾性によって結束バンド１がしっかりと固定されるとともに、ケーブル３，３の損傷が防止される。また、図１（ａ）および図１（ｂ）に示した場合と同様、クッション部材２の孔２１に結束バンド１が貫通しているため、クッション部材２の脱落が防止される。
【００２１】
本発明の適用範囲は上記実施形態に限定されることはない。本発明は、光ケーブルに取り付けられる光ケーブル用タグに対し、広く適用することができる。
【図面の簡単な説明】
【００２２】
【図１】光ケーブル用タグの一実施例の構成を示す図であり、（ａ）は断面図、（ｂ）は斜視図。
【図２】光ケーブル用タグの製造手順を例示する図であり、（ａ）は、熱収縮チューブの加工例を示す図、（ｂ）は、結束バンドをクッション部材に差し込む工程を示す図、（ｃ）はクッション部材を巻き付ける工程を示す図、（ｄ）は結束バンドを締め付けた状態を示す図。
【符号の説明】
【００２３】
１      結束バンド（タグ部材）
２      クッション部材
３      光ケーブル
２１    孔
【図１】
2008268775.tif 000003
【図２】
2008268775.tif 000004